(57)【要約】【課題】集塵効率、組み立て性が良く、さらに使用勝手の良い電気掃除機用吸込具を提供する事を目的とする。【解決手段】回転子４３と塵埃かき上げ用の撹拌帯４７とを有するアジテーター３４と、前記アジテーター３４の端部に設けたプーリー３７とを備え、前記プーリー３７は、前記回転子４３に保持、固定する軸体と一体的に形成されるとともに、前記回転子４３の端部に形成された保持部４６に挿入嵌合する固定部４９を一体的に構成した電気掃除機用吸込具で、ラジアル方向の荷重に対して、非常に強い保持固定が可能となるものである。【選択図】図２
2004081893.tif 000002
【特許請求の範囲】
【請求項１】
回転子と塵埃かき上げ用の撹拌帯とを有するアジテーターと、前記アジテーターの端部に設けたプーリーとを備え、前記プーリーは、前記回転子に保持、固定する軸体と一体的に形成されるとともに、前記回転子の端部に形成された保持部に挿入嵌合する固定部を一体的に構成した電気掃除機用吸込具。
【発明の詳細な説明】
【技術分野】
【０００１】
　本発明は、アジテーターを有する電気掃除機用吸込具に関するものである。
【背景技術】
【０００２】
　従来、この種の電気掃除機用吸込具は、例えば以下に開示されているものが一般的である（例えば、特許文献１参照）。
【０００３】
　以下、図６〜図８を参照して説明する。アジテーター１は略円柱状の回転子２とその略円柱状の回転子２の外周面長手方向に開口部３ａが狭い係合溝３が螺旋状に連続してねじられながら押出し成形により形成されており、前記開口部３ａが狭い係合溝３にはゴムなどの可撓性材料で形成された撹拌帯４が装着されている。アジテーター端部には、駆動源５からの動力を伝達するプーリー６が構成されている。
【特許文献１】特開平１−３１４５２６号公報
【発明の開示】
【発明が解決しようとする課題】
【０００４】
　しかし、上記吸込具のアジテーターでは、可撓性材料で形成された撹拌帯が螺旋状に構成されているため、じゅうたん掃除時、特に砂ごみ等の固形重量物が、撹拌帯にかきあげられる時、反力により螺旋状の進行方向に弾き飛ばされる作用が発生し、塵埃はアジテーターの一端部側に寄せ集められることになり、中央部の吸い込みにおいては、かきあげられた塵埃を完全に吸い込むのに時間を費やした。
【０００５】
　また、さらに回転子の外周長手方向に開口部３ａが狭い係合溝３が螺旋状に連続して押出し成形により形成されるが、成形時開口部３ａ部分の寸法不良が起こりやすく、また開口部３ａが狭い係合溝３を加工形成するのに時間を費やしていた。さらに連続して押出成形される回転子の長手方向に撹拌帯を複数個それぞれに装着するため、回転子を等分割に分割する必要があり、多くの時間が必要であったなど、物作り面でコスト高になっていた問題があった。
【０００６】
　さらに、じゅうたん上で、掃除する場合アジテーターには、大きな負荷が加えられることになり、駆動源から回転を伝達するプーリーには、伝達する方向の力と相反するじゅうたんからの負荷が加えられることになる。したがって、回転子とプーリーとの保持固定を確実なものにすることが要求されていた。
【０００７】
　さらに、アジテーターは高速回転をしており、回転時の振動が掃除中の把手部に伝わり不快感となり、振動値を小さくするという課題があった。
【０００８】
　本発明は、上記課題を解決し、集塵効率、組み立て性が良く、さらに使用勝手の良い電気掃除機用吸込具を提供する事を目的とする。
【課題を解決するための手段】
【０００９】
　上記目的を達成するための本発明は、回転子と塵埃かき上げ用の撹拌帯とを有するアジテーターと、前記アジテーターの端部に設けたプーリーとを備え、前記プーリーは、前記回転子に保持、固定する軸体と一体的に形成されるとともに、前記回転子の端部に形成された保持部に挿入嵌合する固定部を一体的に構成した電気掃除機用吸込具で、回転子の端部にプーリーを圧入する作業と同時にプーリーに設けた固定部が回転子に形成した保持部へ自動的に挿入嵌合されしかも固定部および保持部は、それぞれの部品に一体的に形成されているために、ラジアル方向の荷重に対して、非常に強い保持固定が可能となるものである。
【発明の効果】
【００１０】
　本発明によれば、集塵効率、組み立て性が良く、さらに使用勝手の良い電気掃除機用吸込具を提供できる。
【発明を実施するための最良の形態】
【００１１】
　本発明の請求項１記載の発明は、回転子と塵埃かき上げ用の撹拌帯とを有するアジテーターと、前記アジテーターの端部に設けたプーリーとを備え、前記プーリーは、前記回転子に保持、固定する軸体と一体的に形成されるとともに、前記回転子の端部に形成された保持部に挿入嵌合する固定部を一体的に構成した電気掃除機用吸込具で、回転子の端部にプーリーを圧入する作業と同時にプーリーに設けた固定部が回転子に形成した保持部へ自動的に挿入嵌合されしかも固定部および保持部は、それぞれの部品に一体的に形成されているために、ラジアル方向の荷重に対して、非常に強い保持固定が可能となるものである。
【００１２】
　（実施の形態１）
　以下、本発明の一実施の形態について、図１〜図５を参照しながら説明する。吸込具本体２０は、バンパー２１を介し上本体部材２２と下本体部材２３を結合して得たものであり、前方内部には下面を開口とした吸込口２４が形成してある。この吸込口２４の中央は吸込具本体２０の後方にのびるとともに、吸込通路２５に連なっている。
【００１３】
　また吸込口２４の後方に位置する内部には、上記吸込通路２５で左右に仕切られた部屋が設定されており、一方の部屋２６にはアジテーター３４を駆動する駆動モーター２７が、他方の部屋２８には前記駆動モーター２７を制御する制御回路２９がそれぞれ内設されている。
【００１４】
　３０は上記吸込通路２５に俯仰自在に接続した略半円筒状の吸込継手にして、その周壁の一部から突設した円筒状の接続口３１にリング３２を介して接続パイプ３３が回転自在に取着され、かつこの接続パイプ３３には電気掃除機の吸込側にホースを介して連通した延長パイプ（いずれも図示せず）が着脱自在に接続される。
【００１５】
　３４は吸込口２４内に平行に設けられたアジテーター、３５は吸込室の両側室壁に配設した上記アジテーター３４の軸受右で、３６は軸受左である。
【００１６】
　アジテーター３４の一方に設けたプーリー３７と上記駆動モーター２７の軸に設けたプーリー小３８との間にはベルト３９が張られている。すなわち、上記アジテーター３４は駆動モーター２７によって強制駆動されるようにしている。
【００１７】
　４０は、アジテーター３４のもう一方の端部に設けられたジクウケパイプである。４１、４２は吸込口を被掃除面と一定間隔において位置すべく吸込具本体の前後に一対で設けた車輪である。
【００１８】
　ところで、上記アジテーター３４は、回転子４３とその回転子４３の外周面長手方向に延設されかつ略ヘの字状の凹溝４５より形成されている。
【００１９】
　凹溝４５は回転子４３を長手方向に複数箇所に分割したとき、一つの分割面に形成された前記凹溝４５は上記回転子４３の中心を通る面にて周面外方向部分を分離したとき、抵抗なく分離できる断面形状に形成したものである。
【００２０】
　さらに、前記凹溝４５を樹脂成形加工して、製造する場合の金型構造について説明すると、図１（ｂ）〜（ｈ）において、回転子４３を略同一寸法で分割し、ブロックＡ、ブロックＢ、ブロックＣと３分割した場合、ブロックＡとブロックＣにおいては、断面Ｄ−Ｄ、断面Ｅ−Ｅ、断面Ｆ−Ｆが示すように、回転子４３の中心を通る上下の面が金型の合わせ面、すなわちパーテイングライン（Ｐ・Ｌ）で左右に外方向に分離したとき凹溝４５は抵抗なく分離できるよう構成されている。
【００２１】
　また、ブロックＢについても断面Ａ−Ａ、断面Ｂ−Ｂ、断面Ｃ−Ｃが示すように、回転子４３の中心を通る左右の面が金型の合わせ面すなわちパーテイングライン（Ｐ・Ｌ）で、上下に、外方向に分離したとき凹溝４５は抵抗なく分離できるよう構成されている。
【００２２】
　４６は、後述するが、プーリー３７、ジクウケパイプ４０にそれぞれ一体形成された固定部４９が挿入嵌合する保持部である。
【００２３】
　４７は、可撓性材料からなる塵埃かきあげ用の撹拌帯であり、円筒状のスリーブ４８の外周に複数個等分割に配置されかつ一体形成されたものである。円筒状のスリーブ４８内周面には凸リブ４８Ａが形成されており、前記回転子４３にもうけられた凹溝４５に嵌合し、スリーブ４８を回転子４３に挿入することにより、撹拌帯４７は、ヘの字状に形成されるものである。
【００２４】
　前記プーリー３７には、前記回転子４３の端部に形成された保持部４６へ挿入嵌合し、ラジアル方向の回転を規制する固定部４９が一体的に形成されている。また、回転子４３のもう一方の端部に、挿入嵌合されるジクウケパイプ４０にも固定部４９が一体的に形成されている。
【００２５】
　さらにジクウケパイプ４０の外側端部には、アジテーター３４のアンバランス量の調整を行うための調整穴５０が複数個設けられている。
【００２６】
　前記、調整穴５０へは、アンバランス量を打ち消すための質量として、調整ピン５１が適宜数本打ち込まれるものである。尚、５２はプーリー３７及びジクウケパイプ４０に一体構成されたカイテンジクであり、回転子４３の両端部に圧入嵌合されて、アジテーター３４の回転を自在にするである。
【００２７】
　次に、この実施の形態における動作、作用を説明する。
【００２８】
　まず、アジテーター３４は、図４のように反時計方向に回転しているとき、撹拌帯４７は被掃除面と接したとき同面によくなじみ、その表面をしごく作用が発生する。これによって、被掃除面から塵埃が遊離し、しかもこの遊離塵埃は撹拌帯４７の復元力および電気掃除機の吸引力によって有効に吸込具本体２０内に吸込まれるものである。特に撹拌帯４７を吸込口２４近傍で屈曲点として、ヘの字状に形成したものであるから、塵埃を撹拌帯４７でかきあげたときには、図５で矢印で示すように吸込口２４の方向にむかってはじきとばされる作用が発生すことになり、極めて効率的な集塵作業が行えるものである。
【００２９】
　また、撹拌帯４７はスリーブ部４８と一体に形成されて、一つの部品で構成しているため、回転子４３への組込みは、回転子４３の外周面に被せ挿入するものであり、簡単な作業で組立が完了する。
【００３０】
　さらに、回転子４３の端部にプーリー３７を圧入する作業と同時に、プーリー３７に設けた固定部４９が回転子４３に形成した保持部４６へ自動的に挿入嵌合されるものである。固定部４９および保持部４６は、それぞれの部品に一体的に形成されているために、ラジアル方向の荷重に対して、非常に強い保持固定が可能となった。
【００３１】
　さらに、ジクウケパイプ４０又はプーリー３７の端部にアンバランス調整穴を設けたため、アンバランスが発生しても、調整ピン５１を挿入しアンバランス量の調整が可能となり、調整ピン５１の質量がアンバランス量を打ち消す作用によりアンバランスが極めて小さな高品質のアジテータ３４が得られるものである。
【産業上の利用可能性】
【００３２】
　以上のように本発明にかかる電気掃除機用吸込具は、集塵効率、組み立て性が良く、さらに使用勝手が良いため、家庭用の電気掃除機用吸込具に限らず、業務用や掃除ロボット等、広く電気掃除機全般に有用である。
【図面の簡単な説明】
【００３３】
【図１】（ａ）本発明の一実施の形態を示す電気掃除機用吸込具の回転子の斜視図（ｂ）同回転子の側面図（ｃ）同図（ｂ）のＡ−Ａ断面図（ｄ）同図（ｂ）のＢ−Ｂ断面図（ｅ）同図（ｂ）のＣ−Ｃ断面図（ｆ）同図（ｂ）のＤ−Ｄ断面図（ｇ）同図（ｂ）のＥ−Ｅ断面図（ｈ）同図（ｂ）のＦ−Ｆ断面図
【図２】同吸込具のアジテーターの分解斜視図
【図３】同吸込具の上本体部材を取り外して、上方から見た平面図
【図４】同吸込具本体の断面図
【図５】同吸込具本体を下から見た平面図
【図６】従来の電気掃除機用吸込具の上本体部材を取り外して、上方から見た平面図
【図７】同吸込具の断面図
【図８】同吸込具のアジテーターの部分断面図
【符号の説明】
【００３４】
　２０　吸込具本体
　３４　アジテーター
　３７　プーリー
　４０　ジクウケパイプ
　４３　回転子
　４５　凹溝
　４６　保持部
　４７　撹拌帯
　４９　固定部
　５０　調整穴
　５２　カイテンジク
【図１】
2004081893.tif 000003
【図２】
2004081893.tif 000004
【図３】
2004081893.tif 000005
【図４】
2004081893.tif 000006
【図５】
2004081893.tif 000007
【図６】
2004081893.tif 000008
【図７】
2004081893.tif 000009
【図８】
2004081893.tif 000010